Podtech/llm-jp-corpus-v4-ja_patent huggingface dataset:
(57)【要約】【課題】  外装機の円滑な運転を継続して図ることができる包材ロールを提供する。【解決手段】  紙管に帯状の長尺な外装用フィルムの基端部を貼り付けて該外装用フィルムを幾重にも巻き付けた包材ロールにおいて、紙管に外装用フィルムの基端部を易剥離性担体を有する両面テープにより貼り付けた。【選択図】          図２
0003104458.tif 000002
【実用新案登録請求の範囲】
【請求項１】
紙管に帯状の長尺な外装用フィルムの基端部を貼り付けて該外装用フィルムを幾重にも巻き付けた包材ロールにおいて、紙管に外装用フィルムの基端部を易剥離性担体を有する両面テープにより貼り付けて成ることを特徴とする包材ロール。
【請求項２】
紙管に外装用フィルムの基端部を２箇所以上で両面テープにより貼り付けた請求項１記載の包材ロール。
【請求項３】
両面テープが易剥離性担体としての紙層の両面に接着剤層を有するものである請求項１又は２記載の包材ロール。
【考案の詳細な説明】
【技術分野】
【０００１】
本考案は包材ロールに関する。食品、化粧品、医薬品等の製造乃至加工工場では、これらを包装するために、紙管に帯状の長尺な外装用フィルムを幾重にも巻き付けた包材ロールが使用されている。例えば、食品の製造乃至加工工場において、調味料を充填密封したプラスチックス製容器を外装するような場合である。本考案はかかる包材ロールの改良に関する。
【背景技術】
【０００２】
従来、前記のような包材ロールとして、紙管に帯状の長尺な外装用フィルムを幾重にも巻き付けたものが使用されている。かかる包材ロールに使用される紙管は、帯状の細長い紙を接着剤を介し螺旋状に幾重にも巻いて長尺な管状物としたものを所望長さに切断したもので、それ自体は公知である（例えば特許文献１参照）。またかかる紙管に帯状の長尺な外装用フィルムを幾重にも巻き付けた前記のような包材ロールもそれ自体は公知である（例えば特許文献２参照）。ところで、紙管に帯状の長尺な外装用フィルムを巻き付けるとき、該紙管に該外装用フィルムの基端部を取付ける必着がある。従来一般に、かかる取付け手段として片面テープが使用されている。従来の包材ロールは一般に、紙管に帯状の長尺な外装用フィルムの基端部を片面テープにより貼り付けて該外装用フィルムを幾重にも巻き付けたものとなっているのである。
【０００３】
しかし、かかる従来の包材ロールには、これを用いて例えば前記のように調味料を充填密封したプラスチック製容器を外装するとき、紙管から剥れて外装用フィルムの基端部に付いてくる接着剤層の露出した片面テープや片面テープと共に外装用フィルムの基端部に付いてくる紙管から剥離した該紙管の一部が外装機を詰まらせたり、また紙管から剥れて外装用フィルムの基端部に付いてくる接着剤層の露出した片面テープの接着剤が外装機に付設されている複数のガイドローラに転着したりして、外装機の円滑な運転に支障をきたすという問題がある。実情は、定期的に又は外装機の円滑な運転に支障をきたしたときは随時に、外装機やこれに付設されている複数のガイドローラを手作業で清掃しているが、かかる清掃作業は誠に厄介である。
【特許文献１】特開平５−３２３５１９号公報
【特許文献２】特開２００１−２１９９６１号公報
【考案の開示】
【考案が解決しようとする課題】
【０００４】
本考案が解決しようとする課題は、外装機の円滑な運転を継続して図ることができる包材ロールを提供する処にある。
【課題を解決するための手段】
【０００５】
前記の課題を解決する本考案は、紙管に帯状の長尺な外装用フィルムの基端部を貼り付けて該外装用フィルムを幾重にも巻き付けた包材ロールにおいて、紙管に外装用フィルムの基端部を易剥離性担体を有する両面テープにより貼り付けて成ることを特徴とする包材ロールに係る。
【０００６】
本考案に係る包材ロールも、紙管に帯状の長尺な外装用フィルムを幾重にも巻き付けたものである。紙管に帯状の長尺な外装用フィルムを巻き付けるとき、該紙管に該外装用フィルムの基端部を取付ける必要があるが、本考案に係る包材ロールでは、かかる取付け手段として、易剥離性担体を有する両面テープを用いている。したがって本考案に係る包材ロールは、紙管に帯状の長尺な外装用フィルムの基端部を易剥離性担体を有する両面テープにより貼り付けて、該外装用フィルムを幾重にも巻き付けたものとなっている。
【０００７】
易剥離性担体を有する両面テープによる紙管と外装用フィルムの基端部との貼り付け箇所は任意であるが、該紙管に該外装用フィルムの基端部を相応に安定して均一平行に貼り付けるためには、２箇所以上で貼り付けるのが好ましく、該外装用フィルムの基端部における幅方向両側の２箇所で貼り付けるのがより好ましい。
【０００８】
本考案に係る包材ロールにおいて、紙管に外装用フィルムの基端部を貼り付けるために用いる両面テープは、易剥離性担体を有する両面テープであり、所謂特殊両面テープである。かかる両面テープとしては、易剥離性担体としての紙層の両面に接着剤層を有するものが市販されており、例えば日本理化製紙社製の商品名特殊両面テープＰ−２が市販されている。前記のような両面テープは、易剥離性担体のほぼ中央部で剥離し易い構造となっており、したがってかかる両面テープにより、紙管に外装用フィルムの基端部を貼り付けると、該外装用フィルムの基端部が該紙管から引き剥がされるときに、該両面テープの易剥離性担体のほぼ中央部が剥離するため、該紙管の一部が剥離することはなく、また該両面テープの接着剤層が露出することもない。紙管の一部が剥離して外装用フィルムの基端部に付いてくることによる外装機の詰まりや、両面テープの接着剤層が露出することによる該外装機に付設されている複数のガイドローラへの接着剤の転着はなく、該外装機の円滑な運転を継続して図ることができるのである。
【考案の効果】
【０００９】
本考案に係る包材ロールによると、外装機の円滑な運転を継続して図ることができる。
【考案を実施するための最良の形態】
【００１０】
図１は本考案に係る包材ロールを例示する側面図、図２は図１と同じ包材ロールについて紙管に外装用フィルムの基端部を貼り付けた状態を示す拡大斜視図、図３は図２における両面テープを示す拡大縦断面図である。紙管１１に帯状の長尺な外装用フィルム２１が幾重にも巻き付けられている。外装用フィルム２１の基端部は、両面テープ３１，３１により、その幅方向両側の２箇所で紙管１１に貼り付けられている。両面テープ３１は、易剥離性担体としての紙層３２の両面に接着剤層３３，３３を有するもので、図３中の矢印で示すように、両面の接着剤層３３，３３に反対方向へ引き剥がす力が加わると、紙層３２のほぼ中央部で剥離するようになっている。
【図面の簡単な説明】
【００１１】
【図１】本考案に係る包材ロールを例示する側面図。
【図２】図１と同じ包材ロールについて紙管に外装用フィルムの基端部を貼り付けた状態を示す拡大斜視図。
【図３】図２における両面テープを示す拡大縦断面図。
【符号の説明】
【００１２】
１１  紙管
２１  外装用フィルム
３１  両面テープ
３２  紙層
３３  接着剤層
【図１】
0003104458.tif 000003
【図２】
0003104458.tif 000004
【図３】
0003104458.tif 000005
(57)【要約】【課題】        本考案は、靴や収納具内部に生ずる湿気・臭気を除去するための高い機能を有し、かつ簡単なメンテナンスでその効果を持続し得る除湿消臭パックを提供する。【解決手段】    本考案の除湿消臭パックは、除湿力・消臭力が高いとされる珪藻土を除湿消臭剤として用いる。珪藻土の小片はレース地に吹付け圧着され、ロール状に形成された状態で布帛性円筒状パック内に装填される。したがって、装填や取り出しが容易で吸湿時における乾燥等のメンテナンスも簡単に行うことができるので、長期間に亘ってその機能・効果を持続することができ、繰り返し使用することが可能である。【選択図】      図２
0003104448.tif 000002
【実用新案登録請求の範囲】
【請求項１】
レース地に珪藻土の小片を吹付け圧着し、ロール状に形成してなる除湿消臭具
【請求項２】
請求項１記載の除湿消臭具を、通気性を有する布帛製円筒状パック内に装填してなる除湿脱臭パック
【考案の詳細な説明】
【技術分野】
【０００１】  本考案は、主として靴あるいは各種収納具の内部に生ずる湿気・臭気を除去するための除湿消臭具に関するものである。
【背景技術】
【０００２】  使用後の靴や長期間使用の収納具の内部には湿気や悪臭が生じ易い。これまでにもこれらを除去するために、たとえば活性炭などの粉・粒を袋詰めにするなどの種々の製品があったが、効果の持続性や製品寿命において必ずしも満足するものは見出だせないのが実情であった。
【特許文献１】  特開Ｈ９−２２４７１５公報
【特許文献２】  登録実用新案３０６７５００公報
【特許文献３】  特開２００３−１１６９７６公報
【考案の開示】
【考案が解決しようとする課題】
【０００３】  解決のための問題点は、より優れた機能を有する除湿・消臭剤を用いることによりその効果を高め、さらに効果の持続性・製品の耐久性を維持するためのメンテナンスを容易にするところにある。
【課題を解決するための手段】
【０００４】  本考案者は、珪藻土が優れた除湿力・消臭力を有するとされることに着目し、これを除湿・消臭剤として利用することにより従来品にない高い効果を発揮し得るものと考え、本考案に到達した。【０００５】  除湿・消臭剤として使用される珪藻土の小片はレース地に吹付け圧着される。珪藻土の小片が圧着されたレース地をロール状に形成したものを、そのまま通気性に富んだ布帛製円筒状パック内に装填し、上部を結束して使用することを主な特徴とする。
【考案の効果】
【０００６】  本考案の除湿脱臭パックは、除湿力・消臭力が高いとされる珪藻土を用いてなるものであり、従来品にない優れた除湿・消臭効果が期待しうる利点がある。【０００７】  珪藻土の小片が圧着されたレース地はロール状に形成された状態で布帛製円筒状パック内に装填され、上部をテープで結束して使用されるが、吹付け圧着された珪藻土の凹凸が互に噛合うことによりロールの形状が崩れることはない。したがって、ロールの装填や取り出しは簡単にでき、使用後の乾燥等の手入れもこれを広げて自然又は強制乾燥させることにより十分吸湿力は回復できるので、長期間に亘ってその効果を持続することができ、かつ使い捨てとは異なり繰り返し使用が可能である。【０００８】  本考案の除湿消臭パックは、シンプルな形状で取扱が容易であり、主として靴あるいは各種収納具に広く利用できる。靴の場合、たとえばロングブーツのような特別の形状のものであっても、折り曲げ容易なように節目を途中に入れた布帛性円筒状パックを用いることによって全体にフィットさせることができる。
【考案を実施するための最良の形態】
【０００９】  主に用いられる靴類の場合、左右一対で使用されるものであるから、結束用のテープを利用しこれを一対に連結して、着脱やメンテナンス時等における使用上の便を計る。
【産業上の利用可能性】
【００１０】  このパックは、さまざまな形状の靴にフィットさせることができるばかりでなく、他の用途への使用も可能であり、簡単なメンテナンスでその効果や製品寿命が長期に維持され繰り返し使用しうるので、コスト的にも安価な利用が可能である。
【図面の簡単な説明】
【００１１】
【図１】          レース地と珪藻土よりなるロール状除湿消臭具の斜視図
【図２】          ロール状除湿消臭具を布帛製パックに装填した状態の斜視図
【図３】          ロングブーツへの使用例を示す斜視図
【符号の説明】
【００１２】  １  レース地と珪藻土よりなるロール状除湿消臭具
２  ロール状除湿消臭具を装填した布帛性円筒状パック
３  レース地に吹付け圧着された珪藻土の小片
４  結束・連結用テープ
５  結束部
【図１】
0003104448.tif 000003
【図２】
0003104448.tif 000004
【図３】
0003104448.tif 000005
(57)【要約】【課題】  盗難に対する防御性の高い、補助袋を有する背負い袋を提供することが課題である。【解決手段】  袋本体の背表部に設ける補助袋の被地と袋本体の背負い面に設ける二本の肩に通す背負ベルトと袋本体の背負い面の上方に設ける口締ベルトを交差させて、前記口締ベルトと前記被地を釦で止めて成る背負い袋として課題を解決するものである。【選択図】    １【実用新案登録請求の範囲】
【請求項１】
上方開口部を開閉する紐等の開閉手段を有する袋本体の背負い面に一端を固定する二本の背負ベルトの他端を、背表に設ける補助袋の開口部を外側から覆う被地に固定し、該被地に少なくとも二箇所の釦孔を縦方向に設けると共に、該釦孔の一つに係合する釦を端部に有し他端を袋本体の背負い面に固定する口締ベルトを設け、前記釦孔の他の一つに係合する釦を背表上方部に施す、袋本体と背表に設ける補助袋を同時に、背負い面部と背表部の両方から交差するベルトに依り閉じることの出来る背負い袋。
【考案の詳細な説明】
【技術分野】
【０００１】  本考案は、主に、収納物の盗難防止を目的とする背負い袋、特には背表に設ける補助袋を有する背負い袋に関するものである。
【背景技術】
【０００２】  現在、通常のリュックサックは、物品を収納した状態で背負って携行でき、両手が自由に使用できる利便性を有する収納手段として汎用されている。しかし、背負い込んだ状態では、背は使用者の死角であり、雑踏等における盗難に対する防御性に欠けている問題があり、この点を改良する様々な工夫がなされている。  盗難防止のために提案されている公知技術によれば、背負った場合に背に接する背負い面に物品収納用開口部を設けた背負い袋、背負い面に貴重品等を収納するためのポケットを設けるリュックサック或は袋の開口部の開閉手段としてファスナー、ボタン等により容易に袋内部の物品が盗難に遭わない構造を有し袋本体の後面に、一端が固定され他端に連結具を有する二本の紐状体と連結する連結部を紐状体の取り付け位置より下方に設けて、この紐で背負って使用する自転車等の籠用兼用の背負い袋としているものである。【特許文献１】実開平４−２３４３０号公報
【特許文献２】実登第３０４８６４９号公報
【特許文献３】実登第３０１６７７０号公報
【考案の開示】
【考案が解決しようとする課題】
【０００３】  袋本体内の収納物のみでなく背負い袋の背表に付属する小物を収納する補助袋内の内容物の盗難をも同時に防止する背負い袋は知られていないので、この問題を解消することが、当面の課題となる。
【課題を解決しようとする手段】
【０００４】  袋本体の背負い面低部と背表の上方部に設ける補助袋の開口部を覆う被地との間を結ぶ背負ベルトと、袋本体の背負い部から伸びる口締ベルトを互いに交差して袋本体の紐等で閉じられている開口部と補助袋の開口部とを覆うことが出来るように、前記被地と前記口締ベルトを着脱可能に釦締めして成る背負い袋とするものである。
【考案の効果】
【０００５】  盗難に対して防御性の高い、同時に袋本体と補助袋の開口部を閉じることが出来る背負い袋として、当初の目的を十分に達成しているものである。
【考案を実施するための最良の形態】
【０００６】  背表から背負い面に肩に通して掛ける背負ベルトと背負い面から背表に設ける補助袋の被地に渡す口締ベルトを交差させて釦で開口部を閉じることで最適に実施でき、この場合に、背負ベルトが伸縮できるように構成することで、使用者の背丈等の体格に合わせて利用できるものとなる。
【実施例１】
【０００７】  以下、図１及び図２に示す実施例に従って、実施形態を詳述する。  上方部に、主物品の収納取出しをする開口部２を有する袋本体１の背表７に補助袋８を形成し、補助袋８の上方に位置する開口部９を覆う被地１２を補助袋８の表地１０に設けて外側から閉じるようにするとともに、被地８の上辺部に一端を固定し端を袋本体１の背負い面１６の下方部に固定する左右二本の背負ベルト１５を設けて、この背負ベルト１５を肩に掛けて背負うことが出来るようになっている。被地１２には、縦方向に並べて本体釦孔１３と補助袋釦孔１４を穿設し、袋本体１の背負い面１６の上方に一端を固定して設ける口締ベルト５が袋本体１の上面から伸びて、口締ベルト５の他端部に施す本体釦６と背表７の上方に設ける補助袋釦１１が、それぞれの釦孔１３、１４と係合して、袋本体１と補助袋８を同時に結ぶことを可能としている。  袋本体１の開口部２の全周に亘って設ける紐通３内に収まっている紐４によって袋本体１の開口部２が閉じられるように構成されている。【０００８】  以上説明したように、本考案に因ると、袋本体の背負い面と背表の両側から交差するベルトによって、背表に設ける補助袋内に収納されている物品の盗難も容易ではなくなり、補助袋を背負い面に設けて肌との接触による不快感も生ずることがなくなるが、要するに、ベルトを釦で止めることが盗難防止上有効であり、ベルト或は補助袋に設ける被地の形状、大きさ等を問うものではない。
【産業上の利用可能性】
【０００９】  本背負い袋は布地により容易に、普通の裁縫技術により実施可能となり、極めて汎用性の高いものとなる。
【図面の簡単な説明】
【００１０】【図１】本背負い袋の一実施例における背表側斜視図。
【図２】同使用状態を示す斜視図。
【符号の説明】
【００１１】１      袋本体２      本体開口部３      紐通４      紐５      口締ベルト６      本体釦７      背表８      補助袋９      補助袋開口部１０    表地１１    補助袋釦１２    被地１３    本体釦孔１４    補助袋釦孔１５    背負ベルト１６    背負い面
【図１】
0003104449.tif 000002
【図２】
0003104449.tif 000003
(57)【要約】【目的】  照明器具をアクリル樹脂で平板状に形成し、各種の水槽、池等の水中内に自由に設置できる平板状水中照明器具に関するものである。【構成】  平板照明本体を透明性のアクリル平板と、その内部の凹状溝内に配列される灯体とより構成され、該凹状溝の内部に灯体を配列された後に、該凹状溝内に液状のアクリル充填材を注入して、灯体を内部に密閉状に閉蓋することを特徴としている。【実用新案登録請求の範囲】
【請求項１】
平板照明本体（Ａ）は、アクリル平板（１）と内部に埋設する灯体（５）とより構成され、該アクリル平板（１）は、透明なアクリル樹脂の構成材料より各種形状に形成され、且つ該アクリル平板（１）には、底部に所定形状の長手凹部となる凹状溝（２）を形成し、該凹状溝（２）には、内部に数個の小型の灯体（５）（５）を接続した電源ケーブル（６）を配設し、且つ該凹状溝（２）には、内部の該灯体（５）（５）と該電源ケーブル（６）とにアクリル充填材（３）を注入して密閉状に埋設することを特徴とする平板状水中照明器具。
【考案の詳細な説明】
【技術分野】
【０００１】  本考案は、大小各種形状の鑑賞魚用水槽、活魚水槽及び池等の水中内に水平方向、縦方向及び横方向に自由に設置できるようにした平板状水中照明器具に関するものである。
【背景技術】
【０００２】  従来この種の水中で使用する水中照明具においては、横長手の放電管を吸着盤等を以って壁面等に装着して使用するものが知られている。また、蛍光灯を円形筒等に収納し、支持台又は固定受台に吸着盤を取付けて各所の水槽等に使用する水中蛍光灯も知られている。
【考案の開示】
【考案が解決しよとうする課題】
【０００３】  従来の技術で実施されている前者のものでは、水槽等の掃除の時又は魚類の出し入れの際に放電管が容易に破損すると共に、水槽等に取付けする位置が限定されると云う問題点があった。また、後者のものの円形筒等に蛍光灯を収納し、固定ブラケット又は吸着盤で被取付面に装着するものでは、前者と同様に水槽等の掃除、魚類の出し入れの時には、円形筒等が突出しているので大変邪魔となる等の問題点がある。
本考案は、上記の問題点に鑑みてなされたものであって、その主たる目的とする所は、透明なアクリル樹脂よりなるアクリル板には、その底部の内面に所定形状の長手凹部となる凹状溝を形成し、該凹状溝の内部に灯体付の電源ケーブルを配設して透明なアクリル樹脂を注入して密閉状態に埋設する平板状水中照明器具を提供するものである。
【課題を解決するための手段】
【０００４】  上記目的を達成するために、本考案の水中照明器具の平板照明本体は、透明の平板状のアクリル平板より各種形状に形成され、アクリル板には、裏面底部の略中央部分に凹状溝を形成し、該凹状溝には、内部に数個の灯体を接続した電源ケーブルを収納し、その該凹状溝にアクリル充填材を注入して水が浸入するのを防止する密閉状態に一体的に埋設するものである。
【考案の効果】
【０００５】  本考案の平板状水中照明器具によれば、従来のような長手方向の放電管又は水中蛍光灯等のように、打撃等によって容易に破損することなく著しく安定して強度に優れる効果と、また、設置場所についても限定され、常時邪魔となる等の欠点もない効果もある。そして、本考案の平板照明本体は、水槽等の底部に水平または横方向、縦方向等の設置場所を自由自在にできると共に、取付場所も容易に変更できる便利な効果がある。
また、本考案は、透明なアクリル樹脂の構成材料によって板状のアクリル平板を形成したので、内部に埋設した灯体の照明がアクリル平板の全体に輝き、非常に美しい照明となる効果がある。更に、アクリル平板には、底部に所定形状の長手凹部となる凹状溝を形成して、内部に数個の小型灯体を接続した電源ケーブルを配設したので、アクリル平板の大小の寸法に関係なく全体を平均した明るさに照明できる効果がある。また、該凹状溝の内部に配設した灯体に対してアクリル充填材を注入したことによって、該灯体及び該電源ケーブルを安定的に固定する効果と、アクリル樹脂の注入によって、凹状溝内を確実に一体的に密閉できる効果がある。更に、透明なアクリル樹脂に対して各種の着色を施せば、全体が美しく明るい色彩が容易にできると共に、底部に文字、図柄等の宣伝文字を画書できると云う効果もある。
【考案を実施するための最良の形態】
【０００６】  本考案の平板照明本体は、大小各種の鑑賞魚用水槽、活魚水槽及び池等の水中に対して、図１に示す状態で水中の底部に敷設して全体を照明する。また、アクリル平板を壁面に対して横方向又は縦方向に立設又は吊設して照明することも可能である。
【実施例１】
【０００７】  次に本考案の実施例を図面について説明すると、平板照明本体（Ａ）は、長手方向等のアクリル平板（１）と、内部に埋設する数個の照明具となる灯体（５）（５）とより構成されている。該アクリル平板（１）は、透明なアクリル樹脂の構成材料より各種形状の長手方向等に形成されている。該アクリル平板（１）には、底部内部に所定形状の長手凹部となる凹状溝（２）を形成してある。該凹状溝（２）には、複数個の灯体（５）（５）…を電源ケーブル（６）によって接続したものを配列する。この時、該灯体（５）（５）…の頭部を表面側に成るように埋設する。
更に、該凹状溝（２）には、内部に灯体（５）（５）を配列した状態で、液状のアクリル充填材（３）を注入することによって凹状溝（２）を密閉状に埋設するものである。符号（７）は、ケーブル挿入孔を示し、（８）は、ケーブル挿入孔（７）に設けたプラグを示すものである。
【実施例２】
【０００８】  次に、図５に示す実施例は、本考案のアクリル平板（１）を一例として、半円形の形状に形成し内部に円形状に沿って灯体（５）（５）と電源ケーブル（６）とを配列埋設したものである。各々の水槽、池等の各円形状のものに埋置するのに大変便利となるものである。
【図面の簡単な説明】
【０００９】
【図１】  本考案における平板照明本体の内部を開示した全体の斜面図である。
【図２】  同じく本考案の灯体を接続した電源ケーブルの斜面図である。
【図３】  本考案のアクリル板の底面を上面とした凹状溝を設けた状態の斜面図である。
【図４】  本考案の図１のＡ−Ａ線の縦断側面図である。
【図５】  本考案における平板照明本体の他の半円形の実施例の斜面図である。
【符号の説明】
【００１０】  Ａ          平板照明本体
１          アクリル平板
２          凹状溝
３          アクリル充填材
５          灯体
６          電源ケーブル
７          ケーブル挿入孔
８          プラグ
１０        円形平板照明具
【図１】
0003104450.tif 000002
【図２】
0003104450.tif 000003
【図３】
0003104450.tif 000004
【図４】
0003104450.tif 000005
【図５】
0003104450.tif 000006
(57)【要約】   【課題】ランニングコストを抑え、特異性が高くかつ取り扱いが容易な環境アレルゲン測定器具を得る。【解決手段】目的とする検出物質に特異的な抗体を目視が可能となるよう標識した抗体を含浸させた部位と、それに密着したサンプル捕集部と、標識抗体と接触する位置に配した検出物質と標識抗体の複合体が移動する部位で先に記載した抗体と検出物質に対する結合位置が異なる別の抗体を塗布固定してある移動部位と、移動部位に接触し余剰の水分を吸い取る部位、とからなる部品１と、この測定部位を固定すると共に室内塵を効率良く捕集する部品２からなり、検出を目視によって判定できるようにすると共に、検出する際に、検出しようとする汚染物質に特異的な抗体を用いることによって、特異性と感度を確保する環境アレルゲン測定器具。【選択図】図１
0003104043.tif 000002
【実用新案登録請求の範囲】
【請求項１】
目的とする検出物質に特異的な抗体を目視が可能となるよう標識した抗体を含浸させた部位と、それに密着したサンプル捕集部と、標識抗体と接触する位置に配した検出物質と標識抗体の複合体が移動する部位で先に記載した抗体と検出物質に対する結合位置が異なる別の抗体を塗布固定してある移動部位と、移動部位に接触し余剰の水分を吸い取る部位、とからなる部品１を固定しかつサンプル捕集を効率的に行う部品２に挿入した環境汚染物質測定器具。
【請求項２】
目視できるように窓を設けた部品２を有することを特徴とする請求項１記載の器具。
【請求項３】
サンプリングを効率良く行うことを目的としたサンプル捕集用開口部を設けた部品２を有することを特徴とする請求項１または２記載の器具。
【請求項４】
部品１のサンプル捕集部に、目的とする検出物質に適合した緩衝液並びに界面活性剤を含浸させた請求項１ないし３のいずれか１項に記載の器具。
【請求項５】
環境汚染物質が種々のアレルゲンであることを特徴とする請求項１ないし４のいずれか１項に記載の器具。
【考案の詳細な説明】
【技術分野】
【０００１】
本考案は、環境汚染物質測定用器具に関するものである。
【背景技術】
【０００２】
環境汚染物質、特にダニやスギ花粉などのアレルゲンを測定することは、サンプル捕集の煩雑さや抽出などの処理を行った後でなければ測定できないなどのことから、簡便に実施できなかった。特に、一般家庭や学校など医療関係施設以外では、その場で汚染状況を知ることは困難であった。従来は、電気掃除機などにフィルターを装着し、一定時間吸引して汚染物質を捕集した後に適当な緩衝液で抽出し、その抽出液を免疫学的方法などで測定するものであり、誰でもが何処でも実施できる方法ではなく、時間並びにコストがかかるものであった。またこのような方法は、掃除のレベルを簡便にその場で確認するという目的には合致しなかった。アレルゲン抽出する方法としては特許文献１がある。
【特許文献１】特開昭６４−３０５３１号公報
【考案の開示】
【考案が解決しようとする課題】
【０００３】
誰でもが何処でも実施でき、かつ特異性並びに感度を満足する簡便な環境汚染物質測定器具を提供することを課題とする。  
【課題を解決するための手段】
【０００４】
本考案は、サンプル捕集部と測定部位からなる部品１と、この測定部位を固定すると共に室内塵を効率良く捕集する部品２からなり、検出を目視によって判定できるようにすると共に、検出する際に、検出しようとする汚染物質に特異的な抗体を用いることによって、特異性と感度を確保する環境アレルゲン測定器具である。本考案の第１は、環境からのサンプル捕集を簡便にし本器具以外の器具を必要としないことを特徴とする。このようにすると、測定したい部位表面をこするだけで容易に捕集部に汚染物質をサンプリングできる。サンプリングした後に捕集部位を水道水に浸すだけで環境汚染物質を目視できるようになり、その色の濃さから半定量的に汚染物質量も判定できる。これにより環境汚染物質除去をどの程度行えば良いか、また除去後の確認に使用できる。
【０００５】
本考案の第２は、測定部位とサンプル捕集部を含む部品１と、これを固定する部品２から構成されていることを特徴とする。このようにすると、部品１を交換するだけで再度使用することができ経済的であると共に部品１で使用する抗体を変更するだけで種々の環境汚染物質測定に対応できる。
【考案の効果】
【０００６】
本考案に係る環境汚染物質測定器具では、水道水などの水さえあればどの様な場所であっても、その場で測定したい汚染物質のみを、特異的かつ感度良く簡便に測定することができる。これにより、汚染物質除去の程度を、その場で観察しながら除去作業を的確に行うことが出来る。過剰な除去作業をすることなく、健康上問題のないレベルに生活環境を維持するために極めて有効な手段を提供する。
【考案を実施するための最良の形態】
【０００７】
図１は、本考案に係る環境汚染物質測定器具における実施の形態の１例を示したものである。この環境汚染物質測定器具は、部品１と、該部品を固定する部品２とを備えている。部品２は高密度ポリエチレンなどの軟質の合成樹脂で形成されている。部品１はサンプル捕集部、検出物質に特異的な標識抗体を含浸させた部品、吸水部品、検出物質と標識抗体複合体が移動する部品を透明な硬質の材質、例えばＰＥＴ樹脂板などへ貼り付けて形成している。部品２は、透明或いは不透明のいずれであってもよい。
【０００８】
図１は部品１の形状を示す図である。部品１は、シート状プレートに各部品が組み立てられたときに互いに接触するような位置に貼り付けてあり部品２に挿入できるように裁断して作製してある。部品２は、サンプル捕集のための開口部を持ち一端は水道水を吸い上げることが出来るように開放してある。この開放部から部品１を挿入する。部品２には、移動した検出物質と標識抗体の複合体を目視できる様に窓を設けてある。この窓から観察できる位置に移動部に検出物質に対する標識抗体とは別の抗体が固定してあり、標識抗体との複合体が固定され目視できるようにしてある。加えて、その位置と少し離れた位置に余剰の標識抗体が固定され目視できるよう標識抗体に対する抗体を塗布してある。図２に、部品２の形状を図示した。
【産業上の利用可能性】
【０００９】
水道水などの水さえあればどの様な場所であっても、その場で測定したい汚染物質のみを、特異的かつ感度良く簡便に測定することができる。
【図面の簡単な説明】
【００１０】
【図１】本考案に係る環境汚染物質測定器具における実施の形態の１例を示す図である。
【図２】本考案に係る環境汚染物質測定器具における実施の形態の１例を示す図である。
【図１】
0003104043.tif 000003
【図２】
0003104043.tif 000004
(57)【要約】【課題】自動車のドアミラ−の調整を便利にする。（電動ドアミラ−の場合は除く。）【解決手段】自動車のドアミラ−のベ−スの部分にツマミ１を設置し、鏡面３をベルト２でツマミ１と連結し、鏡面３をツマミ１で左右に動かせる様にした。【選択図】図１
0003104055.tif 000002
【実用新案登録請求の範囲】
【請求項１】
ツマミ１と鏡面３をベルト２で結び、ツマミ１で鏡面３を左右に調整できるドアミラ−。
【考案の詳細な説明】
【考案の詳細な説明】
【技術分野】
【０００１】この考案は、自動車のドアミラ−のベ−ス部分に調整ツマミを設置した車両用ドアミラ−に関するものである。
【背景技術】
【０００２】従来、自動車のドアミラ−の調整は面倒であった。（電動ドアミラ−の場合を除く。）
【考案が解決しょうとする課題】
【０００３】（イ）ドアミラ−の調整は、一回一回鏡面を手で動かしていた。
（ロ）雨の日は、濡れながらドアミラ−の調整をしていた。
本考案は、これらの欠点を除くためになされたものである。
【課題を解決するための手段】
【０００４】図１の様にベルト（スプリングジョイント等）でミラ−部分とツマミを結び、ツマミで調整できる様にした。
【考案を実施するための最良の形態】
【０００５】図２で、右側ドアミラ−は、手の指の腹でツマミ１をＲ方向、Ｌ方向に直線上に前後して押し回す。左側ドアミラ−は、運転席からツマミ１まで腕を伸ばし同じ動作をする。
【実施例】
【０００６】ドアミラ−ケ−ス４の内部に左右に可動する鏡面３を設置する。図１の様に鏡面３の部分にプ−リを装着し、ツマミ１のプ−リとベルト２で鏡面３が、連動する様に連結する。
【考案の効果】
【０００７】従来は、ドアミラ−の調整は特に右ハンドルの場合、左側ドアミラ−は、一回一回、車から降りてしていた。そこで、この考案は運転席から、手を伸ばし指一本でツマミを回すだけでドアミラ−の調整ができる様になった。したがって、雨の日にも車内に居ながら、ドアミラ−の調整ができる。また、構造が簡単なので、故障が少ない。ベルト２はギアベルトを使用してもよい。本考案は、小さな自動車に適している。
【図面の簡単な説明】
【図１】自動車のドアミラ−部分の断面図である。
【図２】自動車のドアミラ−部分の斜視図である。
【符号の説明】
１  調整ツマミ
２  ベルト（スプリングジョイント等）
３  鏡面（ミラ−）
４  右側ドアミラ−ケ−ス
【図１】
0003104055.tif 000003
【図２】
0003104055.tif 000004
(57)【要約】【課題】  シール剤の塗布において、温度変化による粘度変化に影響されず、常に一定量のシール剤を塗布できる定量塗布装置を提供する。【解決手段】  塗布の休止時間に一次側バルブを開きバッファータンク内へ材料を充填し、一次側バルブを閉じてメモリーしておいた正常塗布時の圧力になるように補正し塗布開始指令と同時に二次側バルブを開き塗布開始から一定幅となるようにし、塗布サイクル中は常時、吐出圧力を監視し常に一定圧力となるように補正コントロールをかけて、一定量のシール剤を吐出する。【選択図】  図１
0003104056.tif 000002
【実用新案登録請求の範囲】
【請求項１】
圧送ポンプからホースを介して高圧で送られたシール剤等の吐出先端部分に取付け、一定量、一定幅の塗布をするシステムにおいて、
（１）一次側開閉バルブ、モーターとボールネジを有するシール剤のバッファータンク、圧力センサー、二次側開閉バルブから構成される。
（２）正常に塗布している時の圧力値をメモリーしておき、塗布後バッファータンクにシール剤を充填した後、バッファータンク内の圧力をメモリーしている圧力値になるようにモーターによる押し圧を補正する。
（３）シール剤をバッファータンクに充填するときに、二次側開閉バルブ間の圧力が負圧になった場合は、モーターを停止させ、再度圧力上昇を待つ事を繰返して充填する、これにより二次側からの空気の混入を防止する。
以上の事を特徴とするシール剤の定量塗布装置である。
【考案の詳細な説明】
【考案の詳細な説明】
【技術分野】
【０００１】本考案は、たとえば自動車エンジン組立工場等において、各部品の合せ面にシールを塗布する装置に関し、詳しくは圧送ポンプより押し出されたシール剤をモーター、ボールネジ、圧力センサーを有するバッファータンクに充填し、吐出圧力を一定に補正しながら、部品に一定量塗布するシステムに関するものである。
【背景技術】
【０００２】従来は、圧送ポンプから押し出されたシール剤を吐出バルブの開閉だけで塗布している。季節、また一日の中の温度変化でシール剤の粘度変化が生じる。また圧送ポンプから吐出バルブまでに使用している高圧ホースに膨脹と収縮が生じている。【０００３】従来は、サーボモーター又はエアーシリンダー等で定量塗布する場合、塗布開始指令を受付けてから吐出部の圧力が一定圧に達するまで待機した後、塗布開始している。
【考案が解決しようとする課題】
【０００４】上記した従来の定量塗布システムでは、次のような不具合がある。上記したように塗布開始指令を受付けてから吐出部の圧力が一定圧に達するまで待機した後、塗布開始しており不用な時間が生じている。温度変化によってシール剤の粘度変化が生じるため、同じ圧力での吐出では定量塗布できず、頻繁に吐出圧力の調整が必要とされる。材料ホースの膨脹と収縮により吐出されたシール剤は脈動し吐出の開始位置、終了位置でシール剤のたまりが発生するおそれがある。
【課題を解決するための手段】
【０００５】本考案は上記した従来の問題点を解決するため塗布の休止時間に一次側バルブを開きバッファータンク内へ材料を充填し、一次側バルブを閉じてメモリーしておいた正常塗布時の圧力になるように補正し塗布開始指令と同時に二次側バルブを開き塗布開始から一定幅となるようにし、塗布サイクル中は常時、吐出圧力を監視し常に一定圧力となるように補正コントロールをかけて、一定量のシール剤を吐出する。これにより、温度変化によりシール剤が粘度変化してもそれに見合うように補正するため定量塗布する事が出来る、またバッファータンク内に充填されたシール剤を吐出するため材料ホースの膨脹、収縮の影響を全く受けないものである。
【考案を実施するための最良の形態】
【０００６】簡略化した別図を用いて本考案の実施の形態について説明する。
図１はシール剤を定量塗布するための装置を簡略化して表した物である。塗布用シール剤は、圧送ポンプ１により加圧され、材料圧送用高圧ホース２を経由して一次側開閉バルブ３まで送られる。塗布サイクルの休止時間中に二次側開閉バルブ７を閉じ、一次側開閉バルブ３を開き、モーター４を逆転させバッファータンク５内へシール剤を充填する。充填終了後、一次側開閉バルブ３を閉じ、バッファータンク５内の圧力が定量塗布コントローラー８にメモリーされている正常塗布時の圧力と等しくなるようにモーター４により補正する。シール剤の充填中も圧力センサー６のデーターを常時監視し、モーターをコントロールする事によりバッファータンク５内への空気混入を防止する。シール剤の塗布開始指令により、二次側開閉バルブ７を開きモーター４を回転させバッファータンク５内のシール剤を吐出する、吐出サイクル中も圧力センサー６のデーターを常時監視し、一定圧力となるように定量塗布コントローラー８にてコントロールする。
【図面の簡単な説明】
【図１】本考案の定量塗布装置全体の簡略図を表したものである。
【符号の説明】
１  材料圧送ポンプ
２  材料圧送用高圧ホース
３  一次側開閉バルブ
４  モーター
５  バッファータンク
６  圧力センサー
７  二次側開閉バルブ
８  定量塗布コントローラー
【図１】
0003104056.tif 000003
(57)【要約】 【課題】業務用ドアタイプ食器洗浄機での従来の洗浄作業方法では、洗浄済食器を取り出した後の空になったラックは人の手で運ばれていた。そのためラックからの水の滴りによる作業環境の悪化を招いていた。この点の改善を課題とする。【解決方法】  当該洗浄機洗浄機背面部に水滴受け皿付きのコンベアを装着し、食器洗浄用の空ラックを取り出し口側からその場でコンベア等に乗せて差入れ口側に容易に戻し送りできるようにしたものである。これにより、手に持って搬送したときのラックからの水滴による床面の環境悪化を防ぐことができ、濡れずにすむため清掃も容易に行え、作業環境の向上に効果を発揮する。 【選択図】  図２                    
0003104057.tif 000002
【実用新案登録請求の範囲】
【請求項１】
業務用ドアタイプ食器洗浄機等において、当該洗浄機の背面にコンベア等を装着し、洗浄室を通過してきた洗浄専用容器（以下ラックと云う）から洗浄済の食器等を取り出した後に、ガイド等で楽にラックを取り出し口側からコンベア等に乗せて反対側の差し入れ口側に用意に移送できるようにした、食器洗浄機とコンベア等を組み合わせた戻りラックシステム。
【請求項２】
請求項１において、コンベア等の替わりに滑走式シューターを装着し、食器洗浄機と滑走式シューターの組み合わせた戻りラックシステム。
【考案の詳細な説明】
【技術分野】
【０００１】
本実用新案は、業務用に使用される食器洗浄機において使用するラックの転送・移送に関するもの
【背景技術】
【０００２】
業務用ドアタイプ食器洗浄機等において、従来は洗浄機内を通過してきた食器洗浄機用の食器充填状態にあるラックから洗浄済みの食器等を取り出した後に、ラックを反対側の差し入れ口まで、その都度人の手によって搬送していた。そのため、ラックに付着した水分が床面にこぼれる等作業環境の悪化を招いた。
【考案の開示】
【考案が解決しようとする課題】
【０００３】
解決しようとする問題点は、取り出し口から差し入れ口までのラックに付着した水分が床面にこぼれる点である。
【課題を解決するための手段】
【０００４】
本考案は、当該洗浄機洗浄室の背面部に水滴受け皿付のコンベア等を装着し、食器洗浄用の空ラックを取り出し口側からその場でコンベア等に乗せて差し入れ口側に容易に戻し送りできることを特徴とする。
【考案の効果】
【０００５】
本考案の戻りラックシステムは、ラックに付着した水分が床面にこぼれることがないので作業環境の悪化を防ぐ利点がある。また、作業終了後の清掃時間の短縮にもなる。
【考案を実施するための最良の形態】
【０００６】
本実用新案の実施形態について図面を参照しながら説明する。
【０００７】
図1は、食器洗浄機にコンベア等を装着した状態の正面図で、食器洗浄機とソイルドテーブル、クリーンテーブルの背面部にコンベア等が装着されている。
【０００８】
図２は、上から見た食器洗浄機洗浄機である。２洗浄機と１ソイルドテーブル、３クリーンテーブルの背面に４コンベア等を装着したもので、洗浄前の食器の入った６ラックが洗浄中の食器の入った６ラックを経て、洗浄後の食器の入った６ラックから洗い済みの食器を取り出し、空の６ラックを差し入れ口まで移動させた６ラックの循環動線を矢印で示したものである。また６ラックを４コンベアに移動する際に送りやすいよう５ガイドを設けてある。
【０００９】
図３は、ラックがコンベアに移動する際の移動状況である。ソイルドテーブル側は５から順に１に倒すように移動し、クリーンテーブル側は１から順に５までコンベアに立てかけるように移動させる。
【産業上の利用可能性】
【００１０】
食器洗浄機とクリーンテーブル・ソイルドテーブルの背面部にコンベアや滑走シューター等を取り付けたもの。またクリーンテーブル・ソイルドテーブルにラックが楽に出し入れできるようにガイドを付けたもの。これにより床面にラックからの水滴が落ちなくなり作業環境の改善につながる。ドライシステム対応である。
【図面の簡単な説明】
【００１１】
【図１】本実用新案の正面図である。
【図２】本実用新案のラックの移動状況を示す上面平面図である。
【図３】本実用新案のラックの移動状況を示す右側面図である。
【符号の説明】
【００１２】
１    ソイルドテーブル
２    食器洗浄機
３    クリーンテーブル
４    コンベア等
５    ガイド
６    ラック
【図１】
0003104057.tif 000003
【図２】
0003104057.tif 000004
【図３】
0003104057.tif 000005
(57)【要約】【課題】手袋を脱ぐときに内側の材料がめくれ出ないようにすること、および殺菌効果を有する多層構造の手袋を提供することである。【解決手段】第一の手段は、手袋を異なる３種類の材料からなる３層構造にして、手に直接あたる部分の材料を滑りやすいナイロンにしたことである。第二の手段は、３層構造の中間部分の手袋材料に殺菌剤を含んで使用したことである。【選択図】  図１
0003104053.tif 000002
【実用新案登録請求の範囲】
【請求項１】
ナイロン製手袋に塩化ビニール製手袋を重ね、更に綿製手袋を重ねて３重構造にすることにより、一番内側の手に接触する部分がナイロン製であることから、脱ぐときに手につかずに脱ぎやすいことを特徴とする手袋。
【請求項２】
請求項１の３層構造手袋において、中間の手袋に殺菌剤を含んだ材料を使用して殺菌効果を持たせたことを特徴とする手袋。
【考案の詳細な説明】
【技術分野】
【０００１】本考案は、３種類の異なる材料を使用した３層構造の手袋に関するものである。
【背景技術】
【０００２】保温や防水機能を持った３層構造の手袋は従来からあったが、手袋を脱ぐときに内側の材料が手に密着してめくれ出るため、再使用が不可能であった。
また、殺菌効果を持った３層構造の手袋はこれまで無かった。
【考案の開示】
【考案が解決しようとする課題】
【０００３】手袋を脱ぐときに内側の材料がめくれ出ないようにすること、および殺菌効果を有する３層構造の手袋を提供することである。
【課題を解決するための手段】
【０００４】第一の手段は、手袋を異なる３種類の材料からなる３層構造にして、手に直接あたる部分の材料を滑りやすいナイロンにしたことである。
第二の手段は、３層構造の中間部分の手袋材料に殺菌剤を含んで使用したことである。
【考案の効果】
【０００５】本考案の手袋は、水や液体を通さない防水性と保温性があり、更に殺菌性を持つ利点がある。
【考案を実施するための最良の形態】
【０００６】ナイロン製手袋に塩化ビニール製手袋を重ね、更に綿製手袋を重ねて開口部分を縫合して材料の異なる３層構造の手袋とした。
【実施例１】
【０００７】図１は、３層構造手袋の１実施例を説明する図であり、（ａ）は構造を説明する図、（ｂ）は（ａ）のＡ−Ｂ間の断面図である。
１００は本考案の３層構造手袋、１０１は１層目のナイロン製手袋、１０２は２層目の塩化ビニール製手袋、１０３は３層目の綿製手袋、１０４は３枚の手袋の開口部分の縫合部である。
１０１のナイロン製手袋に１０２の塩化ビニール製手袋を重ね、更に１０３の綿製手袋を重ねて３層構造の手袋を構成する。
本考案の手袋は３層構造であるにも拘らず１０４の縫合のみで手袋を構成するため外観上は１材料による綿手袋に見える。
また、直接手に接触する部分（１層目）の材料はナイロン製のため、手袋を脱ぐときに手に着くことがなく、非常に簡単に外すことができる。
このため、手袋を脱ぐときに１層目や２層目の手袋が外部にめくれ出ることがなくなり、３層構造の手袋の欠点であった再使用不可能を改善して再使用が可能になった。
本考案の手袋は外側（３層目）が綿製であるため触った感触が柔らかく高級感と清潔感があり、更に中間（２層目）の材料が塩化ビニールのため、水や液体を通さない防水構造であることが大きな特徴である。
また１層目にナイロン、２層目に塩化ビニールを使用するため断熱効果があり保温性にも優れている。
【実施例２】
【０００８】図１において、１０２に殺菌剤入りの材料を使用することによって殺菌効果を持った手袋となる。
殺菌効果により、汚物や薬物に対しても衛生面で優れ、例えば感染性のＳＡＲＳやＡＩＤＳや鳥インフルエンザなどに対して作業時に本考案の手袋を使用すると人を守る効果がある。
【産業上の利用の可能性】
【０００９】以上説述したように本考案の手袋は、防水性、保温性、殺菌性に優れているため、次の分野で利用が期待できる。
１．葬儀場や結婚式場のスタッフに。
２．病院の医師や看護師や救急隊員に。
３．ゴルフ場のキャデイに。
４．ホテルドアマンやスタッフに。
５．訪問看護のヘルパーに。
６．駅員やガードマンに。
【図面の簡単な説明】
【００１０】
【図１】３層構造手袋の１実施例を説明する図であり、（ａ）は構造を説明する図、（ｂ）は（ａ）のＡ−Ｂ間の断面図である。
【符号の説明】
【００１１】１００  ３層構造手袋          １０１  ナイロン製手袋
１０２  塩化ビニール製手袋    １０３  綿製手袋
１０４  縫合部                Ａ−Ｂ  断面図を示す部分
【図１】
0003104053.tif 000003
(57)【要約】      （修正有）【課題】小麦粉に水や調味料や卵等を加え、良くかきまぜた生地に、イカや肉や野菜等の具や卵を加えたものを、上下の熱した鉄板の間で、圧力を加えながら薄平らに焼成したものに、ソース味もしくは醤油味のタレを塗った鉄板焼きを、片手で持って食べられるようにする。【解決手段】鉄板焼き１を巻いてロール状にして、巻いた鉄板焼き１がほどけないように、外周にのり２を巻く。のりの巻き方は、のり巻き寿司のようにしてもよく、のりの一辺と向かい合う一辺が重なるよう三角形状に巻いてもよい。【選択図】図１
0003104052.tif 000002
【実用新案登録請求の範囲】
【請求項１】
小麦粉に水や調味料や卵等を加え、良くかきまぜた生地に、イカや肉や野菜等の具や卵を加えたものを、上下の熱した鉄板の間で、圧力を加えながら薄平らに焼成したものに、ソース味もしくは醤油味のタレを塗った鉄板焼き１を、巻いてロール状にして、その外周に、のり２を巻いたことを特長とする鉄板焼き。
【考案の詳細な説明】
【考案の詳細な説明】
【技術分野】
【０００１】  本考案は、小麦粉に水や調味料や卵等を加え、良くかきまぜた生地に、イカや肉や野菜等の具や卵を加えたものを、上下の熱した鉄板の間で、圧力を加えながら薄平らに焼成したものに、ソース味もしくは醤油味のタレを塗った鉄板焼き１を、巻いてロール状にして、その外周に、のり２を巻いた鉄板焼きに関するものである。
【背景技術】
【０００２】  従来、上下の熱した鉄板の間で、圧力を加えながら焼成した、薄平らな鉄板焼きは、代表として、大阪名物のいかやきがある。ソース味もしくは醤油味のタレを塗った面を、二つや三つに折りたたんだ状態で販売されることが多く、その場で食べる時は、多くは発砲スチロール等のトレーの上に置いて出されたものを、割り箸を使用して食べていた。
【考案が解決しようとする課題】
【０００３】  ところが、お好み焼きの厚みとは異なり、上下の熱した鉄板の間で、圧力を加えながら焼成した、薄平らな状態のため、二つや三つに折りたたんでもまだ薄いため、手で持って食べようとしても、鉄板焼き１の腰が弱く、途中から折れてしまうため、困難であった。そのため、発砲スチロール等のトレーの上に置き、箸で食べなければならなかった。このため、ハンバーガーのように、手軽に片手で持って食べることは極めて難しいため、販売拡大に難点があった。また、発砲スチロール等のトレーや割り箸のゴミが発生した。
【課題を解決するための手段】
【０００４】  そこで、本考案は鉄板焼き１を、巻いてロール状にして、その外周に、のり２を巻きつけるものである。
【考案を実施するための最良の形態】
【０００５】  以下、本考案の実施の形態を説明する。巻き方は、鉄板焼き１を、一端から巻き、ロール状にするか、もしくは半分に折り、その状態から巻いてロール状にする方法もある。あるいは、鉄板焼き１を半分に折って、それを再度半分に折る方法、もしくは、更に半分に折ってのりを巻きやすくする方法でも良い。【０００６】  そして、巻いた鉄板焼き１が、ほどけないように、外周に、のり２を巻く。のりの巻き方は、図１に示すように、お寿司ののり巻きのように、のりの一辺と向かい合う一辺が重なるように巻く方法と、美感を与えるため、図２に示すように、のりの角の部分と対角する角の部分が重なる巻き方でも良い。
【考案の効果】
【０００７】  ロール状に巻いた鉄板焼き１の外周に、のり２を巻くことにより、ほどけるのを防ぎ、また、腰折れを防ぐことができる。このことにより、食べるときに箸は不要で、ハンバーガーのように、片手で持って食べることができる。また、歩きながら食べることもできるので、従来にはない利便性の、のりを巻いたロール状鉄板焼きを消費者に提供することができるので、販売の拡大に寄与できる。そして、発砲スチロール等のトレーや、割り箸等のゴミの発生を防ぐこともできる。
【０００８】  また、のりはミネラル等の栄養素があるので、のり２を巻くことにより、風味と栄養を鉄板焼き１に付加することができる。
【図面の簡単な説明】
【図１】  ロール状に巻いた鉄板焼きの外周に、お寿司ののり巻きのように、のりの一辺と向かい合う一辺が重なるように巻いた状態の斜視図である。
【図２】  ロール状に巻いた鉄板焼きの外周に、のりの角の部分と対角する角の部分が重なるように巻いた状態の斜視図である。
【図３】  ロール状に巻いた鉄板焼きの外周に、のりを巻いた断面図である。
【符号の説明】
１  鉄板焼き
２  のり
【図１】
0003104052.tif 000003
【図２】
0003104052.tif 000004
【図３】
0003104052.tif 000005
(57)【要約】【課題】  本考案は、菌や粉塵等を除去するだけでなく、珪藻土の抗酸化作用により化学物質、有害物質、活性酸素を中和、分解、除去し健康維持を促進し、マスク使用の際の異臭等による不快感を取り除くマスクを提供する。【解決手段】本考案は、マスクに珪藻土のフィルターを挿入し、珪藻土の呼吸性と吸着性により化学物質や有害、悪臭物質及び活性酸素を中和、分解、除去するとともに抗酸化作用を持つ空気すなわちマイナスイオンが体内に入り自然治癒力が向上し、アトピー性皮膚炎、ぜん息、花粉症等が改善され、使用時の異臭による不快感もなくなり快適に使用ができる。【選択図】図１
0003104054.tif 000002
【実用新案登録請求の範囲】
【請求項１】
珪藻土のフィルターを挿入することを特徴とするマスク。
【考案の詳細な説明】
【技術分野】
【０００１】  本考案は、マスクの形状及び構造に関する。
【背景技術】
【０００２】  従来のマスクは風邪、花粉、粉塵などの予防用、防臭用として使用されていた。
【考案の開示】
【考案が解決しようとする課題】
【０００３】  以上の技術によれば、菌や粉塵等を体内に入りにくくするだけのものであり、しばらく使っていると使用者の唾液等により異臭を発生させ不快感を与えるものであった。そこで、この発明は、菌や粉塵等を除去するだけでなく、珪藻土の抗酸化作用により化学物質、有害物質、活性酸素を中和、分解、除去し健康維持を促進し、マスク使用の際の異臭等による不快感を取り除くマスクを提供することを課題とする。
【課題を解決するための手段】
【０００４】  本考案は、珪藻土のフィルターを挿入することを特徴とするマスクである。
【考案の効果】
【０００５】  上述の様に、本考案によれば、珪藻土の呼吸性と吸着性により化学物質や有害、悪臭物質及び活性酸素を中和、分解、除去するとともに抗酸化作用を持つ空気すなわちマイナスイオンが体内に入り自然治癒力が向上し、アトピー性皮膚炎、ぜん息、花粉症等が改善され、使用時の異臭による不快感もなくなり快適に使用ができる。また、自然素材を使用するローコスト製品であるため、従来にはない付加価値があるため、かなりの需要が見込まれるものである。
【考案を実施するための最良の形態】
【０００６】  この考案の一実施形態を、図１に示す。
マスクの間に珪藻土フィルターを挟み込む構成のものである。【０００７】「実施形態の効果」
この実施形態によれば、従来の通常のマスク同様装着するだけである。【０００８】「他の実施形態」
図１の実施形態では、スクリーンは格子状であったが、他の実施形態では、布に点々と規則的または不規則に珪藻土を付けたものでも良い。
【実施例】
【０００９】
【産業上の利用可能性】
【００１０】
【図面の簡単な説明】
【００１１】
【図１】本考案の一実施形態を示す斜視図である。
【図２】本考案の断面図である。
【符号の説明】
【００１２】      １  珪藻土スクリーン
２  マスク
３  外気
４  抗酸化作用を持つ空気（マイナスイオン）
【図１】
0003104054.tif 000003
【図２】
0003104054.tif 000004